(57)【特許請求の範囲】
【請求項１】
複数本の枠材と、該複数本の枠材の各々に挿通される連結ロッドと、該連結ロッドを介して前記複数本の枠材同士を連結することにより法面枠体を形成する複数個の連結体とからなり、前記枠材は棒状体と、該棒状体の長手方向に形成されて両端面に開口する貫通穴とから構成し、前記連結ロッドは、前記貫通穴の両端から突出する両端側が前記連結体に締結するための締結部に形成され、前記連結体は前記棒状体の端面と衝合する複数の当接板により多角形に形成した連結枠部と、前記各当接板に形成され、前記連結ロッドの先端側が挿入されるロッド挿通穴とから構成してあることを特徴とする法面枠体構成物。
【請求項２】
前記枠材は棒状体と、該棒状体の長手方向に形成されて両端面に開口する貫通穴と、前記棒状体の側面に長手方向に離間して穿設され、該貫通穴と連通する複数の流入出穴とから構成し、前記連結ロッドは、前記貫通穴に流路を形成するように遊嵌され、前記枠材の両端面から突出する両端側が前記連結体に締結するための締結部になり、前記連結体は前記枠材の端面と衝合する複数の当接板により多角形に形成した連結枠部と、前記各当接板に形成した長穴からなるロッド挿通穴とから構成してあることを特徴とする請求項１記載の法面枠体構成物。
【請求項３】
前記枠材は棒状体と、該棒状体の長手方向に形成されて両端面に開口する貫通穴と、前記棒状体の側面に長手方向に離間して穿設され、該貫通穴と連通する複数の流入出穴とから構成し、前記連結ロッドは、両端が開口して内部が流水路になった中空管と、前記流水路に連通して該中空管の管壁に長手方向に離間して形成した複数の連通孔と、前記貫通穴に挿通されて前記枠材の両端面から突出する両端側が前記連結体に締結する締結部とから構成し、前記連結体は各々が前記枠材の端面と衝合する複数の当接板により多角形に形成した連結枠部と、前記各当接板に形成され、前記連結ロッドの先端側が挿入されるロッド挿通穴とから構成してあることを特徴とする請求項１記載の法面枠体構成物。
【請求項４】
前記連結ロッドは、全長にわたって外面にねじ溝が形成してあることを特徴とする請求項１記載の法面枠体構成物。
【請求項５】
前記棒状体の下面には、法面に当接又は嵌入する止水部材が設けてあることを特徴とすると請求項１記載の法面枠体構成物。
【発明の詳細な説明】
【０００１】
【発明の属する技術分野】
本発明は、道路法面の形成、治山、土砂崩落や掘削跡の修復等を図るために、整地した法面に草木や本木を確実に定着させて成育することができるようにした法面枠体構成物に関する。
【０００２】
【従来の技術】
整地した法面に草木等を植生するためには地盤、特に表土を定着させる必要がある。そこで、従来は法面上に丸太を方形に組んで枠体を設置し、この枠体内に客土して草木等を成育する方法が実施されて来た。また、長尺の板材を方形に組んだ多数の枠体を相互に連結して法面に敷設し、アンカー杭を介して地盤に固定し、各枠体内に客土して草本等を成育させる木製法面枠が用いられている。同様の技術として、特開２０００−１７６６８号公報には、防腐処理しない加工素肌の木肌または自然樹木肌の木製枠材によって方形に枠囲いして枠内空所を有する形状からなり、前記枠材は相互連結用の連結孔と地面へ打設する係止部材の挿入孔を備え、傾斜地法面への敷設状態において、該傾斜地の下方に位置する前記枠材が概９０粍以上の高さを有して雨水の塞ぎ止めの堤を構成する構造の法面保護枠が開示されている。その他、コンクリート製や合成樹脂製の法面枠体も使用されている。
【０００３】
【発明が解決しようとする課題】
上述した従来技術のうち、丸太を組んだ枠体を用いる方法は現場で丸太組作業を行うために日数がかかるという欠点や枠体の強度性にバラツキがあるという欠点がある。次に、木製法面枠は板材を釘で結合した構成であるために強度性に欠けるし、歪み易いことから法面との間に隙間が形成されるため表土が雨水と共に流出するのを防止できずに草木等の定着が損なわれるという欠点がある。また、特開２０００−１７６６８号に開示の法面保護枠には上記と同様の欠点があるし、隣接する保護枠の枠材同士をボルトとナットで結合するため、敷設作業に多大の手間を要するという欠点がある。更に、コンクリート製や合成樹脂製の法面枠体は草木等が定着した後も腐食することなく残留するために逆に草木の成長の妨げになるという欠点や景観を損なうという欠点がある。そして、いずれの従来技術にあっても、排水性を考慮していないために、大量の降雨があった場合に枠体内に滞水することによる過重により、或は表土の軟弱化によって法面が崩壊する危険があった。
【０００４】
本発明は上述した従来技術の諸欠点に鑑みなされたもので、強度性に優れていて歪みがないと共に止水部材が設けてあるので法面表土の流出を防止することができる法面枠体を提供すること、また排水性に優れていて法面上に大量の水が滞留することがないので法面の崩壊を防止することができる法面枠体構成物を提供することを目的とする。
【０００５】
【課題を解決するための手段】
上述した課題を解決するために構成された請求項１に記載の発明の手段は、
複数本の枠材と、該複数本の枠材の各々に挿通される連結ロッドと、該連結ロッドを介して前記複数本の枠材同士を連結することにより法面枠体を形成する複数個の連結体とからなり、前記枠材は棒状体と、該棒状体の長手方向に形成されて両端面に開口する貫通穴とから構成し、前記連結ロッドは、前記貫通穴の両端から突出する両端側が前記連結体に締結するための締結部に形成され、前記連結体は前記棒状体の端面と衝合する複数の当接板により多角形に形成した連結枠部と、前記各当接板に形成され、前記連結ロッドの先端側が挿入されるロッド挿通穴とからなる。
【０００６】
そして、前記枠材は棒状体と、該棒状体の長手方向に形成されて両端面に開口する貫通穴とから構成し、前記連結ロッドは、前記貫通穴に流路を形成するように遊嵌され、前記枠材の両端面から突出する両端側が前記連結体に締結するための締結部になり、前記連結体は前記棒状体の端面と衝合する複数の当接板により多角形に形成した連結枠部と、前記各当接板に形成され、前記連結ロッドの先端側が挿入されるロッド挿通穴とから構成するとよい。
【０００７】
また、前記枠材は棒状体と、該棒状体の長手方向に形成されて両端面に開口する貫通穴と、前記棒状体の側面に長手方向に離間して穿設され、該貫通穴と連通する複数の流入出穴とから構成し、前記連結ロッドは、両端が開口して内部が流水路になった中空管と、前記流水路に連通して該中空管の管壁に長手方向に離間して形成した複数の連通孔と、前記貫通穴に挿通されて前記枠材の両端面から突出する両端側が前記連結体に締結する締結部とから構成し、前記連結体は前記枠材の端面と衝合する複数の当接板により多角形に形成した連結枠部と、前記各当接板に形成され、前記連結ロッドの先端側が挿入されるロッド挿通穴とから構成するとよい。
【０００８】
そして、前記連結ロッドは、全長にわたって外面にねじ溝を形成した構成にするとよい。
【０００９】
また、前記棒状体の下面には、法面に当接又は嵌入する止水部材を設けた構成にするとよい。
【００１０】
【発明の実施の形態】
以下、本発明の実施の形態を図面に基づき詳述する。図１乃至図６は第１の実施の形態を示す。図において、１は多数の方形の空間からなる植生部イ、イ、・・・を形成する法面枠体、２、２、・・・は該法面枠体１を構成する枠材を示す。３は該各枠材２を構成する棒状体で、該棒状体３は例えば間伐材等の木材、古紙等を圧縮固化した再生材、分解性合成樹脂材を上、下面３Ａ、３Ｂと、両側面３Ｃ、３Ｄと、両端面３Ｅ、３Ｅとからなる四角形の長尺棒状に成形したものからなる。４は棒状体３の略中心に位置して長手方向に穿設した貫通穴で、該貫通穴４の両端開口４Ａ、４Ａ（但し、一側のみ図示）は棒状体３の両端面３Ｅ、３Ｅに開口している。
【００１１】
５は棒状体３の下面３Ｂに全長にわたって貼着した厚さ約５〜１０ｍｍの止水部材である。該止水部材５は棒状体３と法面Ａとの間の隙間を閉塞して雨水を方形の植生部イ内に蓄え、また水と共に土砂が流失するのを防止するためのもので、例えば発泡ウレタン、不織布を積層したもの、或は植物性繊維を束ねたもの等のように弾性或は柔軟性を有する材料を用いるとよい。
【００１２】
６は上述の構成からなる枠材２の貫通穴４に挿通した連結ロッドで、該連結ロッド６は長さが棒状体３より長尺の丸棒鋼材に表面メッキ処理をしたものからなり、その全長にわたって雄ねじからなるねじ溝６Ａが刻設してある。このねじ溝６Ａは連結ロッド６の両端側にナット７を螺着するための締結部として設けたものであり、全長にわたって刻設してあるのは、施工時に所望の長さに切断した場合でもナット７を螺合できるようにするためである。
【００１３】
更に、８は上述の構成からなる枠材２を四方向に連結するための連結体で、該連結体８は棒状体３の端面３Ｅと略同形の４枚の当接板９Ａ、９Ａ、・・により四角形に形成した連結枠部９と、各当接板９Ａの略中心に開口形成した挿通穴１０とからなっている。なお、連結体８は耐食性を考慮してメッキ処理を施した金属製或はステンレススチール製の金属材を屈曲して形成したものからなるが、木製板を接合して形成してもよい。
【００１４】
かくして、本実施の形態による法面枠体構成物は枠材２、連結ロッド６及び連結体８とから構成してあり、４本の枠材２、２、・・及び連結ロッド６、６、・・と４個の連結体８、８、・・により最小単位としての矩形の法面枠体１を構成することができる。そして、この最小単位の法面枠体１に３本の枠材２、２、２及び連結ロッド６、６、６と２個の連結体８、８を１組としてこれらを連結することにより、法面Ａに多数の植生部イ、イ、・・・を画成する法面枠体１を縦横方向に展開して敷設することができる。
【００１５】
次に、その施工方法について説明する。整地した法面Ａに止水部材５を密に接地させた状態で４本の枠材２、２、・・を配置し、各枠材２の連結ロッド６の両端側を連結体８の挿通穴１０に挿入してねじ溝６Ａにナット７を螺合し、枠材２に連結体８を締着する。このようにして、複数本の枠材２、２、・・・の両端側に連結体８、８、・・を締着して互いに連結することにより法面Ａ上に法面枠体１を格子状に敷設し、図示しないアンカーを介して地盤に固定することにより多数の植生部イ、イ、・・・を形成する。この敷設作業において、連結体８を介して略Ｖ字状に連結した２本の枠材２、２のＶ字の谷側、即ち連結体８側を下側に位置するようにして敷設する。敷設した法面枠体１内の各植生部イには客土Ｂを投入して草木等の種子を播種し、或は苗等を植え付ける。
【００１６】
本実施の形態によれば、凹凸のある法面Ａに弾性或は柔軟性のある止水部材５が密に接地することにより、降雨時に雨水が法面枠体１の下側を流下して法面表土を流失させる現象を防止することができる。また、法面枠体１により形成される植生部イ、イ、・・・内に一旦水を溜めることができるから保水性に優れており、南向き傾斜面や乾季における植物の成育を助けるのに好適である。
【００１７】
次に、図７乃至図１０は第２の実施の形態を示す。なお、本実施の形態及び後述する他の実施の形態において前述した第１の実施の形態の構成要素と同一の構成要素には同一の符号を付して援用し、その説明を省略する。図において、１１、１１、・・・は法面枠体１を構成する複数の枠材を示し、該枠材１１は棒状体３を含んで構成してある。１２は棒状体３の略中心に位置して長手方向に穿設された貫通穴で、該貫通穴１２の穴径は挿通する連結ロッド６との間に隙間からなる流路Ｃを形成するように連結ロッド６の直径より若干大きく設定してある。１３、１３、・・・は貫通穴１２に連通して棒状体３の一側側面３Ｃに穿設した複数の流入出穴で、該複数の流入出穴１３、１３、・・・は棒状体３の長手方向に所定の間隔で配設してある。
【００１８】
１４は上述した構成の枠材１１を連結するための連結体で、該連結体１４は棒状体３の端面３Ｄと略同形の４枚の当接板１５Ａ、１５Ａ、・・により四角形に形成した連結枠部１５と、各当接板１５Ａの略中心に開口形成した挿通穴１６とから構成してある。ここで、挿通穴１６は第１の実施の形態における挿通穴１０と異なり、連結ロッド６に螺着するナット７の外形よりも長軸の大きい略楕円形の長穴にしてある点に特徴がある。これは流路Ｃを連結体１４の内側に開放させるために、貫通穴１２の開口１２Ａをナット７が完全に閉塞しないようにするためである。
【００１９】
本実施の形態は上述の構成からなり、法面枠体１を法面Ａに敷設する施工法は第１の実施の形態と異なるとことはないが、枠材１１に複数の流入出穴１３を設け、かつ枠材１１に設けた流路Ｃを連結体１４内に開放させた点に特徴がある。即ち、図１０に示すように、大雨等によって各植生部イ内の滞水量が過剰になった場合、余剰の雨水は各流入出穴１３から流路Ｃに流入して流動し、端口１２Ａから連結体１４内に流入して下方の枠材１１の開口１２Ａから流路Ｃ内に流入する。このような経路を経ることによって余剰水は法面Ａを流下する結果、各植生部イ内に雨水が長時間滞留することがなく法面Ａが崩壊する事態を解消することができる。
【００２０】
なお、上述した各実施の形態では、連結ロッド６にねじ溝６Ａを設け、ナット７を締着することにより枠材２（１１）を連結体８（１４）に固着する構成にしたが、ねじに替えて割りピンや楔を用いて枠材２（１１）と連結体８（１４）を固着させてもよい。
【００２１】
また、図１１乃至図１４は第３の実施の形態を示す。図において、２１は法面枠体１を組成する枠材、２２は該枠材２１を構成する棒状体３の略中心に位置して長手方向に穿設した貫通穴を示す。該貫通穴２２は両端開口２２Ａ、２２Ａ（但し、一側のみ図示）が棒状体３の両端面３Ｅ、３Ｅに開口しており、その穴径は後述する連結ロッド２４の直径よりも若干大きく設定することにより連結ロッド２４と貫通穴２２との間に形成される空隙を流路Ｄとしている。２３、２３、・・・は棒状体３の一側面３Ｃに穿設されて前記貫通穴２２に連通した複数の流入出穴で、該複数の流入出穴２３、２３、・・・は棒状体３の長手方向に所定の間隔で配設してある。
【００２２】
２４は棒状体３の下面３Ｂに全長にわたって貼着した止水部材で、該止水部材２４は第１の実施の形態における止水部材５と異なって棒状体３の幅よりも狭く（細く）設定すると共に（図１２参照）、木等の硬い材質のもので成形することにより、柔らかい法面Ａに埋まり易いようにしてある。このように構成することにより、流出し易い柔らかい法面表土を確実に土留めすることができる。かくして、枠材２１は棒状体３、貫通穴２２、複数の流入出穴２３及び止水部材２４から構成してある。
【００２３】
２５は上述の構成からなる枠材２１の貫通穴２２に挿通した連結ロッドを示す。該連結ロッド２５は長さが棒状体３より長尺で、内部が流水路２５Ａになった中空管からなり、外周面には雄ねじとなるねじ溝２５Ｂが全長にわたって刻設してある。また、連結ロッド２５の管壁には流水路２５Ａに連通する複数の連通孔２５Ｃ、２５Ｃ、・・・が全長にわたって、かつランダムに穿設してある。
【００２４】
本実施の形態は上述の構成からなり、連結ロッド２５を挿通した多数の枠材２１、２１、・・・を連結体８を介して連結することにより法面Ａに枠体を敷設して多数の植生部イ、イ、・・・を形成する施工法は第１の実施の形態と異なるとことはない。しかし、本実施の形態によれば、貫通穴２２に連通する複数の流入出穴２３を枠材２１に設け、貫通穴２２に挿通する連結ロッド２５は内部を流水路２５Ａとし、管壁に多数の連通孔２５Ｃ、２５Ｃ、・・・を設けた中空管を用いた構成に特徴がある。この構成にすることにより、図１４に示すように、大雨の時のように多量の水が各植生部イ内に滞留する状態になると余剰水は各流入出穴２３から貫通穴２２に流入し、更に各連通孔２５Ｃから流水路２５Ａに流入して連結体８内に放出される。連結体８内に放出された余剰水は連結ロッド２５の流水路２５Ａを介して下方の連結体８内に放出されることにより、余剰の雨水は順次この経路を経て法面Ａの低地側に速やかに放出させることができる。
【００２５】
なお、上述した各実施の形態において連結ロッド６、２５に丸棒鋼材を用いたが、鋼材以外の金属棒材、例えばアルミニユウム棒材等の他の金属棒材を用いてもよいし、合成樹脂製棒材を用いてもよい。そして、この合成樹脂製棒材には、分解性合成樹脂のものを用いてもよい。
【００２６】
【発明の効果】
本発明は以上詳述した如く構成したから、下記の諸効果を奏する。
（１）複数の枠材は連結ロッドを介して連結体により相互に接続する構成にしたから強度性に優れていて歪みがなく、法面との隙間を可及的に小さくすることができるので法面表土の流出を防止できる。また、枠材を連鎖的に連結することで法面枠体を構成できるから、予め形成してある枠体同士を組み付けて連結する場合に比較して作業効率に優れている。
（２）枠材及び連結ロッドは任意の長さで切断し、連結部材を介して連結することができるから、地形上法面枠体を方形に形成できない場合にも対処できる。
（３）請求項３及び４の発明によれば、枠材に水の流入出穴と流路を設け、連結体を介して雨水を法面の下方に放流するようにしたから、法面上に大量の水が遺留する現象を解消することができ法面の崩壊を防止することができる。
（４）連結ロッドは外面に全長にわたってねじ溝を形成し、所望の長さに切断した場合でもナットを螺合することができるようにしたから、法面の地形に適合した法面枠体の敷設作業を効率よく行うことができる。
（５）枠材の下面に法面に接して或は嵌入して雨水の流出を防止する止水部材を設けたから、法面表土からの雨水の流下による土砂の崩壊を防止することができる。
【図面の簡単な説明】
【図１】  図１乃至図６は本発明の第１の実施の形態に係り、図１は連結ロッドを挿通した枠材の斜視図である。
【図２】  連結ロッドを挿通した枠材の縦断面図である。
【図３】  枠材と連結体を連結した状態の部分拡大斜視図である。
【図４】  枠材と連結体を連結した状態を一部を破断して示す要部平面図である。
【図５】  法面に法面枠体を敷設した状態の説明図である。
【図６】  法面に法面枠体を敷設した状態の拡大縦断面図である。
【図７】  図７乃至図１０は第２の実施の形態に係り、図７は連結ロッドを挿通した枠材の斜視図である。
【図８】  連結ロッドを挿通した枠材の縦断面図である。
【図９】  枠材と連結体を連結した状態の部分拡大斜視図である。
【図１０】  枠材と連結体を連結した状態を一部を破断して示す要部平面図である。
【図１１】  図１１乃至図１４は第３の実施の形態に係り、図１１は連結ロッドを挿通した枠材の部分破断斜視図である。
【図１２】  連結ロッドを挿通した枠材の縦断面図である。
【図１３】  枠材と連結体を連結した状態を一部を破断して示す部分拡大斜視図である。
【図１４】  枠材と連結体を連結した状態を一部を破断して示す要部平面図である。
【符号の説明】
２、１１、２１  枠材
３              棒状体
３Ｅ            端面
４、１２、２２  貫通穴
５、２４        止水部材
６、２５        連結ロッド
６Ａ、２５Ｂ    ねじ溝（締結部）
８、１４        連結体
１０、１６      挿通穴
１３、２３      流入出穴
２５Ａ          流水路
２５Ｃ          連通孔
Ｃ、Ｄ          流路
【図１】
0003666852.tif 000002
【図２】
0003666852.tif 000003
【図３】
0003666852.tif 000004
【図４】
0003666852.tif 000005
【図５】
0003666852.tif 000006
【図６】
0003666852.tif 000007
【図７】
0003666852.tif 000008
【図８】
0003666852.tif 000009
【図９】
0003666852.tif 000010
【図１０】
0003666852.tif 000011
【図１１】
0003666852.tif 000012
【図１２】
0003666852.tif 000013
【図１３】
0003666852.tif 000014
【図１４】
0003666852.tif 000015